(57)【要約】【課題】コンタクトの破損を防止する。【解決手段】基板１１０を貫通したコンタクト１３０を雌ハウジング３０内に挿入し、コンタクト１３０と雌コンタクト４０とが電気的に接続された状態において、スライダー１を下方に押し下げると、第１可動体７０及び第２可動体８０がスライダー１により下方に押圧される。第１可動体７０の下段７３及び第２可動体８０の下段８３がハウジング９０の上壁９４より下方に移動し、下段７３,８３の外側面が上壁９４に接しないようになる。これにより、バネ１２０が伸長し、第１可動体７０及び第２可動体８０がコンタクト１３０から遠ざかる。【選択図】図６
2014154452.tif 000002
【特許請求の範囲】
【請求項１】
基板を挟んで互いに反対側に配置される第１コネクタ及び第２コネクタと、前記第２コネクタに対して移動可能に取り付けられたスライダーとを備えたコネクタにおいて、
前記第１コネクタは、
前記基板と直交する方向に延びる第１コンタクトを挟んで互いに反対側に配置される第１可動体及び第２可動体を収容する第１ハウジングと、
前記第１可動体及び前記第２可動体に対して互いに離隔する方向に付勢力を与えることが可能な付勢部材とを有し、
前記第１ハウジングに収容された前記第１可動体及び前記第２可動体は、前記付勢部材から付勢力が与えられ且つ前記第１ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１可動体及び前記第２可動体は、前記近接状態において、前記第１コンタクトの径以上の最小径を有しており、前記基板に近づくに連れて径が小さくなった領域を有するコンタクト挿入孔を画定しており、
前記第２コネクタは、
前記コンタクト挿入孔及び前記基板を貫通した前記第１コンタクトと電気的に接続される第２コンタクトが装着された第２ハウジングを有し、
前記第１コンタクトが前記コンタクト挿入孔及び前記基板を貫通して前記第２コンタクトと電気的に接続された状態において、前記スライダーを移動させることによって前記第１可動体及び前記第２可動体を前記近接状態から前記離隔状態に変更することが可能であることを特徴とするコネクタ。
【請求項２】
前記スライダーにより前記第１可動体及び前記第２可動体を押圧することによって前記第１可動体及び前記第２可動体を前記近接状態から前記離隔状態に変更することが可能であることを特徴とする請求項１に記載のコネクタ。
【請求項３】
基板を挟んで互いに反対側に配置される第１コネクタ及び第２コネクタと、前記第２コネクタに対して移動可能に取り付けられたスライダーとを備えたコネクタにおいて、
前記第１コネクタは、
前記基板と直交する方向に延びる第１コンタクトを挟んで互いに反対側に配置される第１可動体及び第２可動体を収容する第１ハウジングと、
前記第１可動体及び前記第２可動体に対して互いに近接する方向に付勢力を与えることが可能な付勢部材とを有し、
前記第１ハウジングに収容された前記第１可動体及び前記第２可動体は、前記付勢部材から付勢力が与えられた近接状態から、前記付勢部材による付勢力に抗って前記近接状態におけるよりも互いに離隔した離隔状態に遷移可能であり、
前記第１可動体及び前記第２可動体は、前記近接状態において、前記第１コンタクトの径以上の最小径を有しており、前記基板に近づくに連れて径が小さくなった領域を有するコンタクト挿入孔を画定しており、
前記第２コネクタは、
前記コンタクト挿入孔及び前記基板を貫通した前記第１コンタクトと電気的に接続される第２コンタクトが装着された第２ハウジングを有し、
前記第１コンタクトが前記コンタクト挿入孔及び前記基板を貫通して前記第２コンタクトと電気的に接続された状態において、前記スライダーを移動させることによって前記第１可動体及び前記第２可動体を前記近接状態から前記離隔状態に変更することが可能であることを特徴とするコネクタ。
【請求項４】
前記スライダーにより前記第１可動体及び前記第２可動体の少なくとも一方を押圧することによって前記第１可動体及び前記第２可動体を前記近接状態から前記離隔状態に変更することが可能であることを特徴とする請求項３に記載のコネクタ。
【請求項５】
前記付勢部材は前記第１ハウジングに収容され、
前記第１ハウジングには、前記付勢部材に対向する位置に貫通孔が形成されていることを特徴とする請求項１〜４のいずれか１項に記載のコネクタ。
【請求項６】
前記第１ハウジングと前記付勢部材との間において前記貫通孔の少なくとも一部と重なる位置に配置される内挿部材をさらに備えていることを特徴とする請求項５に記載のコネクタ。
【発明の詳細な説明】
【技術分野】
【０００１】
本発明は、基板に形成されたコンタクト挿入孔へコンタクトを誘い込むハウジングを備えたコネクタに関する。
【背景技術】
【０００２】
自動車等に搭載されるコネクタとして、基板上に載置されたコネクタ内に基板を貫通した相手側コンタクトを下方から挿入するものが知られている。相手側コンタクトは基板に形成されたコンタクト挿入孔を通過してコネクタ内に挿入されるが、製造時の公差等により相手側コンタクトとコンタクト挿入孔との位置ずれが生じると、相手側コンタクトをコンタクト挿入孔へスムーズに挿入することができない。そして、このような問題は、相手側コンタクトの数が多くなるにつれて顕著となる。
【０００３】
上記問題を解消するため、特許文献１には、相手側コンタクトをコンタクト挿入孔へ誘い込むハウジングが開示されている。ハウジングにはガイド孔（貫通孔）が形成されており、ハウジングを基板の下方に配置すると、コンタクト挿入孔の下方にガイド孔が配置される。ガイド孔はコンタクト挿入孔から離れるにつれて拡径した漏斗状に形成されており、ガイド孔の下端の径はコンタクト挿入孔の径より大きくなっている。このため、製造時の公差等により相手側コンタクトとコンタクト挿入孔とが位置ずれしても、相手側コンタクトをガイド孔へ挿入でき、その後は、ガイド孔からコンタクト挿入孔へ相手側コンタクトを導くことができる。
【先行技術文献】
【特許文献】
【０００４】
【特許文献１】特開２０１０−１４６８７３号公報
【発明の概要】
【発明が解決しようとする課題】
【０００５】
上記のようなガイドハウジングでは、ガイド孔の上端を相手側コンタクトと略同径とすることにより、相手側コンタクトをガイド孔からコンタクト挿入孔へ導きやすくしている。したがって、相手側コンタクトがガイド孔に挿入された状態では、相手側コンタクトとガイド孔を画定するガイドハウジングの内周面とが近接している。
【０００６】
ところで、上述したコネクタが搭載される自動車の電源や動力源（エンジン等）近傍では振動が生じやすく、これに伴ってガイドハウジングも振動する。しかし、相手側コンタクトとガイドハウジングの内周面とは近接しているため、ガイドハウジングが振動すると、その振動が相手側コンタクトに伝わり、相手側コンタクトが破損するおそれがある。また、ガイドハウジングだけでなく基板も振動することで共振が生じると、相手側コンタクトへ伝わる振動が大きくなるため、相手側コンタクトはより破損しやすい。
【０００７】
そこで、本発明の目的は、相手側コンタクトの破損を防止するコネクタを提供することである。
【課題を解決するための手段】
【０００８】
本発明のコネクタは、基板を挟んで互いに反対側に配置される第１コネクタ及び第２コネクタと、前記第２コネクタに対して移動可能に取り付けられたスライダーとを備えている。
第１コネクタは、前記基板と直交する方向に延びる第１コンタクトを挟んで互いに反対側に配置される第１可動体及び第２可動体を収容する第１ハウジングと、前記第１可動体及び前記第２可動体に対して互いに離隔する方向に付勢力を与えることが可能な付勢部材とを有する。ここで、前記第１ハウジングに収容された前記第１可動体及び前記第２可動体は、前記付勢部材から付勢力が与えられ且つ前記第１ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能である。また、前記第１可動体及び前記第２可動体は、前記近接状態において、前記第１コンタクトの径以上の最小径を有しており、前記基板に近づくに連れて径が小さくなった領域を有するコンタクト挿入孔を画定している。
さらに、第２コネクタは、前記コンタクト挿入孔及び前記基板を貫通した前記第１コンタクトと電気的に接続される第２コンタクトが装着された第２ハウジングを有する。
そして、前記第１コンタクトが前記コンタクト挿入孔及び前記基板を貫通して前記第２コンタクトと電気的に接続された状態において、前記スライダーを移動させることによって前記第１可動体及び前記第２可動体を前記近接状態から前記離隔状態に変更することが可能である。
【０００９】
本発明によると、第１コンタクト及び第２コンタクトが電気的に接続された状態において、第１可動体及び第２可動体を離隔状態にすることにより、第１可動体及び第２可動体を第１コンタクトから遠ざけることができる。これにより、第１ハウジングが振動し、また、基板が振動することで共振が起こっても、この振動が第１コンタクトに伝わるのを防止できるため、第１コンタクトの破損を防止できる。
【００１０】
また、本発明において、前記スライダーにより前記第１可動体及び前記第２可動体を押圧することによって前記第１可動体及び前記第２可動体を前記近接状態から前記離隔状態に変更可能であることが好ましい。本構成によると、第１可動体及び第２可動体を押圧するという簡易な構成で、第１可動体及び第２可動体を第１コンタクトから確実に遠ざけることができる。
【００１１】
また、代替的には、本発明のコネクタは、基板を挟んで互いに反対側に配置される第１コネクタ及び第２コネクタと、前記第２コネクタに対して移動可能に取り付けられたスライダーとを備えており、前記第１コネクタは、前記基板と直交する方向に延びる第１コンタクトを挟んで互いに反対側に配置される第１可動体及び第２可動体を収容する第１ハウジングと、前記第１可動体及び前記第２可動体に対して互いに近接する方向に付勢力を与えることが可能な付勢部材とを有する。ここで、前記第１ハウジングに収容された前記第１可動体及び前記第２可動体は、前記付勢部材から付勢力が与えられた近接状態から、前記付勢部材による付勢力に抗って前記近接状態におけるよりも互いに離隔した離隔状態に遷移可能である。また、前記第１可動体及び前記第２可動体は、前記近接状態において、前記第１コンタクトの径以上の最小径を有しており、前記基板に近づくに連れて径が小さくなった領域を有するコンタクト挿入孔を画定している。
さらに、第２コネクタは、前記コンタクト挿入孔及び前記基板を貫通した前記第１コンタクトと電気的に接続される第２コンタクトが装着された第２ハウジングを有している。
そして、前記第１コンタクトが前記コンタクト挿入孔及び前記基板を貫通して前記第２コンタクトと電気的に接続された状態において、前記スライダーを移動させることによって前記第１可動体及び前記第２可動体を前記近接状態から前記離隔状態に変更することが可能である。
【００１２】
上記構成によると、第１コンタクト及び第２コンタクトが電気的に接続された状態において、第１可動体及び第２可動体を離隔状態にすることにより、第１可動体及び第２可動体を第１コンタクトから遠ざけることができる。これにより、第１ハウジングが振動し、また、基板が振動することで共振が起こっても、この振動が第１コンタクトに伝わるのを防止できるため、第１コンタクトの破損を防止できる。
【００１３】
また、上記発明において、前記スライダーにより前記第１可動体及び前記第２可動体の少なくとも一方を押圧することによって前記第１可動体及び前記第２可動体を前記近接状態から前記離隔状態に変更可能であることが好ましい。本構成によると、第１可動体及び第２可動体の少なくとも一方を押圧するという簡易な構成で、第１可動体及び第２可動体を確実に離隔状態にすることができる。
【００１４】
また、本発明において、前記付勢部材は前記第１ハウジングに収容され、前記第１ハウジングには、前記付勢部材に対向する位置に貫通孔が形成されていることが好ましい。本構成によると、第１ハウジング内に付勢部材が収容されていることを貫通孔から確認できる。また、第１ハウジングに貫通孔を形成することにより、第１ハウジングを軽量化できるとともに、第１ハウジングを簡易に持ち運ぶことができるため効率良くコネクタを組み立てることができる。
【００１５】
さらに、本発明において、前記第１ハウジングと前記付勢部材との間において前記貫通孔の少なくとも一部と重なる位置に配置される内挿部材をさらに備えていることが好ましい。内挿部材により、貫通孔を塞ぐことができるため第１ハウジング内に異物が侵入することを抑止できる。また、内挿部材に貫通孔が形成されている場合は、第１ハウジング内に付勢部材が収容されていることを貫通孔から確認できる。
【発明の効果】
【００１６】
本発明のコネクタによると、第１コンタクト及び第２コンタクトが電気的に接続された状態において、第１可動体及び第２可動体を第１コンタクトから遠ざけることができるため、第１ハウジングが振動しても第１コンタクトが振動することを防止できる。これにより、第１コンタクトの破損を防止できる。
【図面の簡単な説明】
【００１７】
【図１】本発明の第１実施形態に係るコネクタの分解斜視図である。
【図２】（ａ）はスライダーの断面図(図１のIIA−IIA線に沿った図)であり、（ｂ）は雌コネクタの断面図(図１のIIB−IIB線に沿った図)であり、（ｃ）は基板及びガイドコネクタの断面図(図１のIIC−IIC線に沿った図)である。
【図３】ガイドコネクタの分解斜視図である。
【図４】組立後のガイドコネクタの斜視図であり、（ａ）は上方からみた斜視図であり、（ｂ）は下方からみた斜視図である。
【図５】（ａ）は近接状態におけるガイドコネクタの断面斜視図であり、（ｂ）は離隔状態におけるガイドコネクタの断面斜視図である。
【図６】コネクタを組み立てる方法を順に示した断面図である。
【図７】コネクタの組み立てる方法を順に示した他の断面図である。
【図８】本発明の第２実施形態のコネクタの断面図であり、（ａ）は近接状態におけるコネクタを示し、（ｂ）は離隔状態におけるコネクタを示している。
【発明を実施するための形態】
【００１８】
〔第１実施形態〕
以下、本発明の第１実施形態について説明する。
【００１９】
コネクタ１００は、図１に示すように、基板１１０の上方に配置されたスライダー１及び雌コネクタ（第２コネクタ）２と、基板１１０の下方に配置されたガイドコネクタ（第１コネクタ）３とを備えている。スライダー１は、雌コネクタ２に対して上下方向に移動可能に取り付けられる（図６参照）。また、基板１１０には、略矩形状の挿入孔１１０ａが形成されている。挿入孔１１０ａには、ガイドコネクタ（第１コネクタ）３の上端部が配置されている。
【００２０】
（スライダー）
スライダー１は、図１に示すように、絶縁性の樹脂で形成された略箱状のハウジング１０を備えている。ハウジング１０は、右壁１１、左壁１２、前壁及び後壁１３を有し、これらの内側に雌コネクタ２を収容可能な空間が形成されている（図２（ａ）参照）。
【００２１】
図２（ａ）に示すように、ハウジング１０には、長尺状のピン２０が装着されている。ピン２０は、上下方向に延在し、雌コネクタ２内に挿入される。
【００２２】
（雌コネクタ）
雌コネクタ２は、図１及び図２（ｂ）に示すように、絶縁性の樹脂で形成された略直方体状の雌ハウジング（第２ハウジング）３０と、雌ハウジング３０に装着された５つの雌コンタクト（第２コンタクト）４０とを有する。
【００２３】
<雌ハウジング>
雌ハウジング３０には、図１に示すように、雌コンタクト４０を収容可能な５つの空間（収容室）３１が左右方向に並んで形成されている。収容室３１の上端は開口しており、スライダー１のピン２０が上記開口から収容室３１へ挿入可能となっている（図２（ｂ）参照）。
【００２４】
また、雌ハウジング３０の底壁３２には、図２（ｂ）に示すように、上下方向に貫通した貫通孔３２ａが形成されている。貫通孔３２ａには、基板１１０を貫通したコンタクト１３０が下方から挿入される。貫通孔３２ａは、径が一定の上領域と、径が変化した下領域とを有する。下領域は、上領域から離れるにつれて径が大きくなるテーパ状に形成されている。このような構成から、コンタクト１３０を下方から貫通孔３２ａの先にある収容室３１内へ挿入しやすくなっている。
【００２５】
<雌コンタクト> 
雌コンタクト４０は、図１及び図２（ｂ）に示すように、上端及び下端が開口した角筒部４１と、角筒部４１内を１周するように折れ曲がった曲折部４２と（図２（ｂ）参照）、上下方向等に弾性変位する弾性部４３と、収容室３１外に配置された固定部４４及び実装部４５とを有する。固定部４４は、弾性部４３の下端から下方向に延在し、雌ハウジング３０の底壁３２に固定されている。また、実装部４５は、固定部４４の途中から斜め下方向に延在しており、基板１１０にハンダ接合される。
【００２６】
角筒部４１は、図２（ｂ）に示すように、前後方向に対向する前壁部５１及び後壁部５２を有する。前壁部５１及び後壁部５２には、それぞれ、互いに対向する方向に突出した突部が形成されている。
【００２７】
曲折部４２は、前壁部５１から下方に向かって凸状に湾曲した下湾曲部６１と、下湾曲部６１から上方向に延在した直線部６２と、直線部６２から後壁部５２に向かって凸状に突出した突出部６３とを有している。前壁部５１の突部と突出部６３との間にはスライダー１のピン２０が挿入され（図２（ａ）参照）、後壁部５２の突部と直線部６２との間にはコンタクト１３０が挿入される（図２（ｃ）参照）。
【００２８】
（ガイドコネクタ）
ガイドコネクタ３は、図２（ｃ）及び図３に示すように、前後方向に対向した第１可動体７０及び第２可動体８０と、これらを収容する略箱状のハウジング（第１ハウジング）９０とを有する。第１可動体７０、第２可動体８０及びハウジング９０は、絶縁性の樹脂で形成されている。また、図３に示すように、第１可動体７０及び第２可動体８０の間には、２つのバネ（付勢部材）１２０が配置されている。一方のバネ（付勢部材）１２０はガイドコネクタ３の右端部に配置され、他方のバネ（付勢部材）１２０はガイドコネクタ３の左端部に配置されている。第１可動体７０及び第２可動体８０は、略同じ構成であり、前後対称となるように配置されている。なお、以下では、主に第１可動体７０について説明し、第２可動体８０の説明を省略することがある。
【００２９】
<第１可動体、第２可動体>
第１可動体７０及び第２可動体８０は、図３に示すように、互いに対向する面と反対側の側部が３段（上段、中段、下段）の階段形状となっている。
【００３０】
上段７１,８１の右端部及び左端部には、上方に向かって突出した突出部７１ａ,７１ｂ,８１ａ,８１ｂが形成されている。第１可動体７０及び第２可動体８０をハウジング９０内に収容すると、図４（ａ）に示すように、上段７１,８１は、後述する近接状態において、ハウジング９０外に配置される。また、この状態で、ガイドコネクタ３を基板１１０に取り付けると、図２（ｃ）に示すように、上段７１,８１は基板１１０の挿入孔１１０ａ内に配置される。また、突出部７１ａ,７１ｂ,８１ａ,８１ｂの上端は、上下方向について基板１１０の上面より上方に位置している。
【００３１】
また、図３に示すように、下段７３の左右方向に関する中央部には、凹部が形成されている。これにより、下段７３の右端部７３ａ及び左端部７３ｂは中央部７３ｃより上下方向の高さが高い。さらに、下段７３,８３の互いに対向する内側部には凹部７３ｄ,８３ｄが形成されている。そして、２つの凹部７３ｄ,８３ｄによりバネ１２０を収容可能な空間が形成される。
【００３２】
バネ１２０は、前後方向に弾性変形し、第１可動体７０及び第２可動体８０に対して互いに離隔する方向に付勢力を与える。これにより、第１可動体７０及び第２可動体８０は互いに離隔する方向へ移動しようとするが、ハウジング９０に収容された状態では（図４参照）、ハウジング９０によってその移動が規制され、近接状態（図４、図５（ａ）参照）から近接状態におけるよりも互いに離隔した離隔状態（図５（ｂ））に遷移可能である。なお、図２（ｃ）及び図３,４は近接状態における図である。
【００３３】
近接状態では、図４及び図５（ａ）に示すように、第１可動体７０及び第２可動体８０の対向面が略接している。この状態では、第１可動体７０及び第２可動体８０の対向面により、５つのコンタクト挿入孔（３Ａ,３Ｂ等）が画定される。コンタクト挿入孔には、図２（ｃ）に示すように、上下方向に延在したコンタクト１３０が下方から挿入される。
【００３４】
コンタクト挿入孔３Ａは、径がテーパ状に変化したテーパ領域３ｔと、その上方において径が一定の上端領域３ｕとを有している（図２（ｃ）参照）。テーパ領域３ｔは、上端領域３ｕに近づくにつれて径が小さくなっている。そして、テーパ領域３ｔの上端及び上端領域３ｕは、コンタクト挿入孔３Ａにおいて最小径となっており、これはコンタクト１３０の径以上の大きさである。
【００３５】
コンタクト１３０がコンタクト挿入孔３Ａへ下方から挿入されると、第１可動体７０及び第２可動体８０はコンタクト１３０を挟んで互いに反対側に配置される（図６（ｂ）参照）。
【００３６】
一方、離隔状態では、図５（ｂ）に示すように、近接状態におけるよりもバネ１２０が前後方向に伸長することにより、第１可動体７０及び第２可動体８０が離隔している。
【００３７】
<ハウジング>
ハウジング９０は、図３に示すように、底壁９１と、右壁９２と、左壁９３と、上壁９４とを有している。また、これらの内側には、第１可動体７０及び第２可動体８０を収容可能な収容空間が形成されている。右壁９２及び左壁９３には、厚み方向（左右方向）に貫通した貫通孔９２ａ,９３ａが形成されている。また、右壁９２及び上壁９４の間には隙間ｓ１が形成され、左壁９３及び上壁９４の間にも隙間ｓ２が形成されている。隙間ｓ１,ｓ２には、補強タブ（内挿部材）１４０,１５０が挿入される（図４参照）。
【００３８】
底壁９１には、厚み方向（上下方向）に貫通した５つのガイド孔（９１ａ,９１ｂ等）が左右方向に並んで形成されている。ガイド孔９１ａ,９１ｂは、図２（ｃ）に示すように、下端に近付くにつれて径が大きくなっている（図４（ｂ）参照）。
【００３９】
上壁９４には、図３に示すように、第１可動体７０及び第２可動体８０が嵌合可能な貫通孔９４Ａが形成されている。貫通孔９４Ａを画定する上壁９４の内周部では、右端部及び左端部が前後方向に凹んでいる。このため、対向する内周部の離間距離（前後方向についての離間距離）は、中央部より右端部及び左端部の方が長い。
【００４０】
第１可動体７０及び第２可動体８０をハウジング９０に収容すると、貫通孔９４Ａの右端部９４ａ及び左端部９４ｂ（内周部の離間距離が長い部分）には、第１可動体７０の下段７３の右端部７３ａ及び左端部７３ｂ（角部が形成された部分）と第２可動体８０の下段８３の右端部及び左端部が嵌まる。また、貫通孔９４Ａの中央部９４ｃ（内周部の離間距離が短い部分）には、第１可動体７０の中央部７３ｃ（凹部が形成された部分）及び第２可動体８０の中央部が嵌まる（図５参照）。
【００４１】
<補強タブ>
補強タブ１４０,１５０は、図３に示すように、略四角形状の板状の部材であり、絶縁性の樹脂からなる。補強タブ１４０,１５０の上端部は、略９０度折り曲げられることにより略水平方向に延在している。上端部は、補強タブ１４０,１５０をハウジング９０に装着した後、基板１１０の下面にハンダ接合される。これにより、スライダー１と基板１１０との接続強度を高めることができる。また、補強タブ１４０,１５０の中央付近には略円形状の貫通孔１４０ａ,１５０ａが形成されている。
【００４２】
近接状態では、図５（ａ）に示すように、第１可動体７０の下段７３の左右両端部及び第２可動体８０の下段８３の左右両端部が、ハウジング９０の上壁９４の内周面に接している。これにより、第１可動体７０及び第２可動体８０がバネ１２０の付勢力によって互いに離隔する方向へ移動することを規制している。
【００４３】
一方、離隔状態では、図５（ｂ）に示すように、近接状態におけるよりも第１可動体７０及び第２可動体８０が下方へ移動し、第１可動体７０の下段７３及び第２可動体８０の下段８３がハウジング９０の上壁９４と底壁９１との間の空間に配置されている。この状態では、下段７３,８３が上壁９４と接していないため、下段７３,８３の規制が解除されている。これにより、バネ１２０が近接状態におけるよりも伸長することにより、第１可動体７０及び第２可動体８０が近接状態におけるよりも互いに離隔している。
【００４４】
なお、この状態では、図６（ｃ）に示すように、第１可動体７０の中段７２及び第２可動体８０の中段８２が、上壁９４の内周面（図５（ｂ）に示す上壁９４の中央部であり、対向する内周部の距離が短い部分）に接している。このため、第１可動体７０及び第２可動体８０は、所定の距離だけ離隔した状態で互いに離隔する方向への移動が規制されている。
【００４５】
次に、第１可動体７０及び第２可動体８０を近接状態から離隔状態に変える工程について、図６,７を参照しつつ説明する。ここで、図６は図１における前後方向に沿った断面図であるのに対し、図７は左右方向に沿った断面図である。また、図７の（ａ）,（ｂ）は、それぞれ、図６の（ｂ）,（ｃ）に対応する。
【００４６】
先ず、図６（ａ）に示すように、基板１１０に雌コネクタ２をハンダ接合する。このとき、スライダー１は雌コネクタ２の上部を覆うように配置され、ピン２０が雌コンタクト４０の前壁部５１の突出部と曲折部４２との間に挿入されていない（半嵌合）。また、基板１１０の下面にはガイドコネクタ３が固定され、第１可動体７０及び第２可動体８０が近接状態にある。
【００４７】
次に、コンタクト１３０をガイドコネクタ３及び雌コネクタ２内に挿入する（図６（ｂ）及び図７（ａ）参照）。コンタクト１３０は、下方からガイドコネクタ３のコンタクト挿入孔３Ａを通過し、基板１１０を貫通して雌ハウジング３０内に挿入される。コンタクト１３０が雌コンタクト４０の後壁部５２の突出部と曲折部４２との間に挿入され、後壁部５２及び曲折部４２の少なくとも一方に接触することにより、これらの電気的接続が達成される。このとき、基板１１０の挿入孔１１０ａでは、コンタクト１３０と第１可動体７０の上段７１及び第２可動体８０の上段８１とが近接している。また、図７（ａ）に示すように、スライダー１の右壁１１は、下方にあるガイドコネクタ３の突出部８１ａと上下方向に離隔している。同様に、スライダー１の左壁１２も、下方にあるガイドコネクタ３の突出部と上下方向に離隔している（図示省略）。
【００４８】
この状態からスライダー１を押し下げると（完全嵌合）、図６（ｃ）及び図７（ｂ）に示すように、スライダー１の右壁１１がガイドコネクタ３の突出部７１ａ,８１ａを下方向に押圧する。これにより、ガイドコネクタ３が押し下げられ、雌コネクタ２から遠ざかる。なお、図７（ｂ）に示す左壁１２も同様にガイドコネクタ３の突出部を下方向に押圧している。これにより、図６（ｃ）に示すように、第１可動体７０の下段７３及び第２可動体８０の下段８３が下方に移動することで、下段７３,８３の外側面が上壁９４に接しないようになる。その結果、バネ１２０が伸長し、第１可動体７０及び第２可動体８０が互いに離隔する方向に移動することによりコンタクト１３０から遠ざかる。その後、第１可動体７０の中段７２及び第２可動体８０の中段８２が上壁９４に接することにより、第１可動体７０及び第２可動体８０の移動が規制される。
【００４９】
また、スライダー１を押し下げることにより、図６（ｃ）に示すように、ピン２０が雌コンタクト４０の前壁部５１の突出部と曲折部４２との間に配置される。これにより、曲折部４２がコンタクト１３０に向かって変位するため、雌コンタクト４０とコンタクト１３０との接触性を向上させることができる。
【００５０】
以上に述べたように、本実施形態のコネクタ１００によると以下の効果を奏する。コンタクト１３０と雌コンタクト４０とが電気的に接続された状態において、第１可動体７０及び第２可動体８０を離隔状態にすることにより、第１可動体７０及び第２可動体８０をコンタクト１３０から遠ざけることができる。これにより、ハウジング９０が振動し、また、基板１１０が振動することで共振が起こっても、この振動がコンタクト１３０に伝わるのを防止できるため、コンタクト１３０の破損を防止できる。
【００５１】
また、スライダー１によって第１可動体７０の突出部７１ａ,７１ｂ及び第２可動体８０の突出部８１ａ,８１ｂを押圧するという簡易な構成で、第１可動体７０及び第２可動体８０をコンタクト１３０から確実に遠ざけることができる。
【００５２】
さらに、ハウジング９０の右壁９２及び左壁９３に貫通孔９２ａ,９３ａが形成されていることにより、貫通孔９２ａ,９３ａからバネ１２０がハウジング９０内に収容されていることを確認できるとともに、ガイドコネクタ３を軽量化できる。また、貫通孔９２ａ,９３ａを画定するハウジング９０の縁部により、ガイドコネクタ３を簡易に持ち運ぶことができるため効率良くコネクタ１００を組み立てることができる。
【００５３】
加えて、ハウジング９０の左右両端部に補強タブ１４０,１５０を挿入することにより、バネ１２０をハウジング９０内に確実に収納できる。また、補強タブ１４０,１５０によりハウジング９０の貫通孔９２ａ,９３ａを塞ぐことができるため、ハウジング９０内に異物が侵入することを抑止できる。さらに、スライダー１を押し下げた状態では、図７（ｃ）に示すように、ハウジング９０の貫通孔９２ａと、補強タブ１４０の貫通孔１４０ａと、バネ１２０とが左右方向に重なって配置されるため、貫通孔９２ａからバネ１２０がハウジング９０内に収容されていることを確認できる。
【００５４】
〔第２実施形態〕
次に、本発明の第２実施形態について、図８を参照しつつ説明する。第２実施形態において第１実施形態と異なる点は、主に、ガイドコネクタの構成及び付勢部材の構成である。なお、上述した第１実施形態と同一の構成については同一の符号を用い、その説明を適宜省略する。なお、図８には、コネクタの右端部の断面図を示している。
【００５５】
（スライダー）
スライダー２０１のハウジングの右壁２１１は、上下方向に延在し、下部２１１ｌの幅（前後方向の長さ）が上部２１１ｕの幅がより狭い。下部２１１ｌの先端部は、斜面が形成されることで先細り形状となっている。また、ハウジングの左壁も、右壁２１１と同様に、先端部（下端部）が先細り形状となっている。なお、第２実施形態の右壁２１１及び左壁は、第１実施形態のスライダー１のハウジング１０の右壁及び左壁よりも上下方向に長い。
【００５６】
（ガイドコネクタ）
ガイドコネクタ２０３は、絶縁性の樹脂で形成され、図８（ａ）に示すように、前後方向に対向した第１可動体２７０及び第２可動体２８０と、これらを収容した略箱状のハウジング（第１ハウジング）２９０とを有する。コンタクト１３０は、ハウジング２９０の底壁に形成されたガイド孔（図示省略）を下方から通過し、第１可動体２７０及び第２可動体２８０の間に挿入される。第１可動体２７０及び第２可動体２８０は、略同じ構成となっており、以下では、主に第１可動体２７０について説明し、第２可動体２８０の説明を省略することがある。
【００５７】
<第１可動体、第２可動体>
第１可動体２７０の右端部には、図８（ａ）に示すように、上下方向に延在した本体部２７１と、本体部２７１の下端から分岐した第１分岐部２７２及び第２分岐部（付勢部材）２７３とが設けられている。第１分岐部２７２は、下方向に延在し、本体部２７１から離れるにつれて幅が狭くなっている。一方、第２分岐部２７３は下方向に凸となるように曲がっている。このような構成から、第２分岐部２７３は前後方向に弾性変位可能となっている。また、本体部２７１の上端部には、第２可動体２８０に向かって下方に傾斜した傾斜面２７１ａが形成されている。そして、第１可動体２７０の左端部も上述した右端部と同様な構成となっている。
【００５８】
また、第２可動体２８０の右端部にも、第１可動体２７０と同様に、本体部２８１と、本体部２８１の下端から分岐した第１分岐部２８２及び第２分岐部（付勢部材）２８３とが設けられている。本体部２８１の上端部には、第１可動体２７０に向かって下方に傾斜した傾斜面２８１ａが形成されている。そして、第２可動体２８０の左端部も右端部と同様な構成となっている。
【００５９】
このように、本実施形態では、第１可動体２７０及び第２可動体２８０の一部が付勢部材となっている。そして、第１可動体２７０及び第２可動体２８０は、第１分岐部２７２,２８２が対向するように前後対称に配置されている。
【００６０】
第１可動体２７０及び第２可動体２８０がハウジング２９０に収容された状態では、第２分岐部２７３,２８３がハウジング２９０の内壁に接しつつ前後方向に伸長することにより第１可動体２７０及び第２可動体２８０に対して互いに近接する方向に付勢力を与える。これにより、第１可動体２７０及び第２可動体２８０は近接状態（図８（ａ）参照）から上記付勢力に抗って近接状態におけるよりも互いに離隔した離隔状態（図８（ｂ）参照）へ遷移可能である。
【００６１】
近接状態では、図８（ａ）に示すように、第１可動体２７０及び第２可動体２８０の対向面が略接している。この状態では、第１可動体２７０及び第２可動体２８０の対向面により、コンタクト１３０が挿入されるコンタクト挿入孔が画定される（図示省略）。コンタクト挿入孔は、上端に近づくに連れて径が小さくなったテーパ領域を有している。テーパ領域の上端はコンタクト挿入孔の最小径となっており、これはコンタクト１３０の径以上の大きさである。
【００６２】
コンタクト１３０がコンタクト挿入孔へ下方から挿入されると、第１可動体２７０及び第２可動体２８０はコンタクト１３０を挟んで互いに反対側に配置される（図８（ｂ）参照）。
【００６３】
一方、離隔状態では、図８（ｂ）に示すように、近接状態におけるよりも第２分岐部２７３,２８３が前後方向に収縮することにより、第１可動体２７０及び第２可動体２８０が離隔している。
【００６４】
次に、第１可動体２７０及び第２可動体２８０を近接状態から離隔状態に変える工程について説明する。
【００６５】
図８（ａ）には、スライダー１が雌コネクタ２に対して半嵌合状態であるときを示している。雌コネクタ２は基板３１０に対してハンダ接合されている。また、雌コネクタ２内には基板３１０を貫通したコンタクト１３０が下方から挿入されており、雌コンタクトとコンタクト１３０とが電気的に接続されている。この状態では、第１可動体２７０及び第２可動体２８０は近接状態にある。また、スライダーの右壁２１１が第１可動体２７０及び第２可動体２８０の上方に配置されている。
【００６６】
この状態からスライダー２０１を押し下げると、スライダー２０１の右壁２１１が第１可動体２７０の傾斜面２７１ａ及び第２可動体２８０の傾斜面２８１ａを下方に押圧することにより、本体部２７１,２８１に前後方向の分力が働く（本体部２７１には前方向の分力が働き、本体部２８１には後方向の分力が働く。）。これにより、第２分岐部２７３,２８３が収縮することで、第１可動体２７０及び第２可動体２８０が互いに離隔する方向へ移動し、コンタクトから遠ざかる（離隔状態、図８（ｂ）参照）。
【００６７】
そして、図８（ｂ）に示す状態から、スライダー２０１を本体部２７１,２８１の上方まで引き上げると、本体部２７１,２８１に対して前後方向の分力が働かなくなる。これにより、第２分岐部２７３,２８３が伸長することで、第１可動体２７０及び第２可動体２８０が互いに近接する方向へ移動する（近接状態、図８（ａ）参照）。
【００６８】
以上から、本実施形態においても第１実施形態と同様に、コンタクト１３０と雌コンタクト４０とが電気的に接続された状態において、第１可動体２７０及び第２可動体２８０をコンタクト１３０から遠ざけることができるため、ハウジング２９０が振動し、また、基板３１０が振動することで共振が起こっても、この振動がコンタクト１３０に伝わるのを防止できるため、コンタクト１３０の破損を防止できる。
【００６９】
また、第１可動体２７０の上端部及び第２可動体２８０の上端部に傾斜面２７１ａ,２８１ａを形成し、スライダー２０１によって傾斜面２７１ａ,２８１ａを押圧するという簡易な構成で、第１可動体２７０及び第２可動体２８０をコンタクト１３０から遠ざけることができる。
【００７０】
以上、本発明の実施形態について図面に基づいて説明したが、具体的な構成は、これらの実施形態に限定されるものでないと考えられるべきである。本発明の範囲は上記した説明ではなくて特許請求の範囲によって示され、特許請求の範囲と均等の意味及び範囲内でのすべての変更が含まれる。
【００７１】
例えば、第１実施形態では、ガイドコネクタ３のハウジング９０の右壁９２及び左壁９３に貫通孔９２ａ,９３ａが形成されているが、ハウジング９０に貫通孔９２ａ,９３ａが形成されていなくてもよい。また、第２実施形態において、ガイドコネクタ２０３のハウジング２９０の右壁及び左壁に貫通孔が形成されてもよい。
【００７２】
また、第１実施形態では、ハウジング９０の左右両端部に補強タブ（内挿部材）１４０,１５０を挿入したが、補強タブ１４０,１５０を挿入しなくてもよい。また、第２実施形態において、ハウジング２９０の左右両端部に補強タブを挿入してもよい。
【００７３】
さらに、第１実施形態及び第２実施形態では、ガイドコネクタ３,２０３の第１可動体７０,２７０及び第２可動体８０,２８０が同様な構成であるが、これらは異なる構成でもよい。
【００７４】
加えて、第１実施形態では付勢部材にバネ１２０を用い、第２実施形態では第１可動体２７０及び第２可動体２８０の一部を凸状に曲げることにより付勢部材としたが、付勢部材は上記に限られず、変更可能である。例えば、付勢部材にゴム等の弾性部材を用いてもよい。
【００７５】
また、第１実施形態では、第１可動体７０及び第２可動体８０と付勢部材（バネ１２０）とが別部材であるが、第２実施形態のようにこれらを一体とする構成としてもよい。また、第２実施形態では、第１可動体２７０及び第２可動体２８０の一部を付勢部材としたが、これらを別部材としてもよい。例えば、第１可動体２７０とハウジング２９０との間及び第２可動体２８０とハウジング２９０との間にバネを配置してもよい。
【００７６】
さらに、第２実施形態では、スライダー２０１によって第１可動体２７０及び第２可動体２８０を押圧したが、第１可動体２７０及び第２可動体２８０のいずれか一方を押圧する構成としてもよい。このような構成においても、押圧された可動体はコンタクト１３０から遠ざかるため、コンタクト１３０の振動を抑止できる。よって、コンタクト１３０の破損を防止できる。
【００７７】
また、第２実施形態では、スライダー２０１の右壁２１１及び左壁の先端部を先細形状としたが、右壁２１１及び左壁は先細形状でなくてもよい。
【符号の説明】
【００７８】
１             スライダー
２             雌コネクタ（第２コネクタ）
３,２０３      ガイドコネクタ（第１コネクタ）
３０           雌ハウジング（第２ハウジング）
４０           雌コンタクト（第２コンタクト）
７０,２７０    第１可動体
８０,２８０    第２可動体
９０,２９０    ハウジング（第１ハウジング）
９２ａ,９３ａ  貫通孔
１２０         バネ（付勢部材）
１００         コネクタ
１１０         基板
１３０         コンタクト（第１コンタクト）
１４０,１５０  補強タブ（内挿部材）
２７３,２８３  第２分岐部（付勢部材）
１１０ａ       挿入孔（コンタクト挿入孔）
【図１】
2014154452.tif 000003
【図２】
2014154452.tif 000004
【図３】
2014154452.tif 000005
【図４】
2014154452.tif 000006
【図５】
2014154452.tif 000007
【図６】
2014154452.tif 000008
【図７】
2014154452.tif 000009
【図８】
2014154452.tif 000010